(57)【要約】【構成】撮像装置１４は、カメラモードにおいて撮像処理を実行する。撮像された被写界像をＬＣＤモニタユニット２８に表示する表示処理は、撮像処理と並列して実行される。撮像された被写界像を記録媒体３４に記録する記録処理は、カメラモードにおけるＲＥＣボタン３８ｒの２回の操作の間でＩ／Ｆ回路３２によって実行される。動作モードは、Ｉ／Ｆ回路３２が停止状態にあるときのＬＣＤモニタユニット２８の開閉操作に応答して、カメラモードおよびスタンバイモードの間で遷移する。表示処理は、Ｉ／Ｆ回路３２が起動状態にあるときのＬＣＤモニタユニット２８の開閉操作に応答して開始／終了される。動作モードは、記録処理が実行状態にありかつ表示処理が終了状態にあるときのＲＥＣボタン３８ｒの操作に応答して、スタンバイモードに遷移する。【効果】操作性の向上が図られる。【選択図】図１
2008252469.tif 000002
【特許請求の範囲】
【請求項１】
動作モードがスタンバイモードからカメラモードに遷移したとき被写界を表す画像データを繰り返し出力する撮像処理を実行する撮像手段、
前記撮像手段から出力された画像データに基づく画像を表示する表示処理を前記撮像処理と並列して実行する表示手段、
前記撮像手段から出力された画像データを記録媒体に記録する記録処理を前記カメラモードにおける記録開始操作から記録終了操作までの期間に実行する記録手段、
前記記録手段が停止状態にあるときの表示開始操作および表示終了操作に応答して前記カメラモードから前記スタンバイモードへの遷移処理および前記スタンバイモードから前記カメラモードへの遷移処理をそれぞれ実行する第１制御手段、
前記記録手段が起動状態にあるときの前記表示開始操作および前記表示終了操作に応答して前記表示手段の起動処理および停止処理をそれぞれ実行する第２制御手段、および
前記第２制御手段の停止処理によって前記表示手段が停止状態にあるときの前記記録終了操作に応答して前記カメラモードから前記スタンバイモードへの遷移処理を実行する第３制御手段を備える、ビデオカメラ。
【請求項２】
電源投入操作および電源遮断操作に応答して電源投入処理および電源遮断処理をそれぞれ実行する電源制御手段をさらに備える、請求項１記載のビデオカメラ。
【請求項３】
前記第３制御手段による遷移処理に先立って前記記録処理を停止する停止手段をさらに備える、請求項１または２記載のビデオカメラ。
【請求項４】
前記表示手段は開閉式のモニタを含み、
前記モニタの開操作および閉操作が前記表示開始操作および前記表示終了操作にそれぞれ相当する、請求項１ないし３のいずれかに記載のビデオカメラ。
【請求項５】
動作モードがスタンバイモードからカメラモードに遷移したとき被写界を表す画像データを繰り返し出力する撮像処理を実行する撮像手段、前記撮像手段から出力された画像データに基づく画像を表示する表示処理を前記撮像処理と並列して実行する表示手段、および前記撮像手段から出力された画像データを記録媒体に記録する記録処理を前記カメラモードにおける記録開始操作から記録終了操作までの期間に実行する記録手段を備えるビデオカメラのプロセサに、
前記記録手段が停止状態にあるときの表示開始操作および表示終了操作に応答して前記カメラモードから前記スタンバイモードへの遷移処理および前記スタンバイモードから前記カメラモードへの遷移処理をそれぞれ実行する第１制御ステップ、
前記記録手段が起動状態にあるときの前記表示開始操作および前記表示終了操作に応答して前記表示手段の起動処理および停止処理をそれぞれ実行する第２制御ステップ、および
前記第２制御手段の停止処理によって前記表示手段が停止状態にあるときの前記記録終了操作に応答して前記カメラモードから前記スタンバイモードへの遷移処理を実行する第３制御ステップを実行させるための、モード制御プログラム。
【請求項６】
動作モードがスタンバイモードからカメラモードに遷移したとき被写界を表す画像データを繰り返し出力する撮像処理を実行する撮像手段、前記撮像手段から出力された画像データに基づく画像を表示する表示処理を前記撮像処理と並列して実行する表示手段、および前記撮像手段から出力された画像データを記録媒体に記録する記録処理を前記カメラモードにおける記録開始操作から記録終了操作までの期間に実行する記録手段を備えるビデオカメラのモード制御方法であって、
前記記録手段が停止状態にあるときの表示開始操作および表示終了操作に応答して前記カメラモードから前記スタンバイモードへの遷移処理および前記スタンバイモードから前記カメラモードへの遷移処理をそれぞれ実行する第１制御ステップ、
前記記録手段が起動状態にあるときの前記表示開始操作および前記表示終了操作に応答して前記表示手段の起動処理および停止処理をそれぞれ実行する第２制御ステップ、および
前記第２制御手段の停止処理によって前記表示手段が停止状態にあるときの前記記録終了操作に応答して前記カメラモードから前記スタンバイモードへの遷移処理を実行する第３制御ステップを備える、モード制御方法。
【請求項７】
動作モードがスタンバイモードからカメラモードに遷移したとき被写界を表す画像データを繰り返し出力する撮像処理を実行する撮像手段、
前記撮像手段から出力された画像データに基づく画像を開閉式のモニタに表示する表示処理を前記モニタが開状態にあるときに前記撮像処理と並列して実行する表示手段、および
前記撮像手段から出力された画像データを記録媒体に記録する記録処理を前記カメラモードにおける記録開始操作から記録終了操作までの期間に実行する記録手段を備え、
前記記録開始操作は前記モニタが開状態にあるときに受け付け、前記記録手段は前記モニタが開状態から閉状態に移行した後も記録処理を継続し、前記モニタが閉状態にあるときの前記記録終了操作に応答して前記動作モードを前記スタンバイモードに遷移させるようにした、ビデオカメラ。
【請求項８】
前記モニタが閉状態にあるときの前記記録開始操作を無効とするようにした、請求項７記載のビデオカメラ。
【発明の詳細な説明】
【技術分野】
【０００１】
この発明は、ビデオカメラに関し、特にたとえば、スタンバイモードとカメラモードとの間での動作モードの遷移を制御する、ビデオカメラに関する。
【背景技術】
【０００２】
この種の装置の一例が、非特許文献１に開示されている。この背景技術によれば、メインスイッチおよび動画撮影ボタンは、カメラ本体の背面に設けられる。また、ＯＮ／ＯＦＦボタンは、開閉式のモニタユニットが開かれたときに露出する位置に設けられる。ＯＮ／ＯＦＦボタンが操作されると電源が投入され、ＯＮ／ＯＦＦボタンが再度操作されると電源が遮断される。
【０００３】
メインスイッチがＲＥＣに合わせられかつモニタユニットが開かれた状態で、ＯＮ／ＯＦＦボタンの操作によって電源が投入されると、カメラモードが起動し、被写界を表す動画像がモニタユニットからリアルタイムで出力される。カメラモードが起動した状態で動画撮影ボタンが操作されると、動画像の記録が開始される。動画撮影ボタンが再度動作されると、動画像の記録が終了される。また、カメラモードが起動した状態でモニタユニットが閉じられると、動作モードがスタンバイモードに遷移する。その後にモニタユニットが開かれると、動作モードがカメラモードに戻される。
【非特許文献１】三洋電機株式会社，「取扱説明書デジタルムービーカメラ品番ＤＭＸ−Ｃ６」
【発明の開示】
【発明が解決しようとする課題】
【０００４】
しかし、背景技術では、カメラモードからスタンバイモードへの遷移は、動画像を記録している途中でも実行される。つまり、動画像の記録が実行されている途中でモニタユニットが閉じられると、記録処理が終了され、スタンバイモードが確立される。これは、ビデオカメラを三脚に固定して無人で動画像を記録するような場合でも、モニタユニットを開いて画面に動画像を表示させ続けなければならないことを意味し、操作性の観点から問題である。
【０００５】
それゆえに、この発明の主たる目的は、操作性を向上させることができる、ビデオカメラを提供することである。
【課題を解決するための手段】
【０００６】
この発明に従うビデオカメラ(10：実施例で相当する参照符号。以下同じ)は、動作モードがスタンバイモードからカメラモードに遷移したとき被写界を表す画像データを繰り返し出力する撮像処理を実行する撮像手段(14, 18)、撮像手段から出力された画像データに基づく画像を表示する表示処理を撮像処理と並列して実行する表示手段(26, 28)、撮像手段から出力された画像データを記録媒体に記録する記録処理をカメラモードにおける記録開始操作から記録終了操作までの期間に実行する記録手段(32)、記録手段が停止状態にあるときの表示開始操作および表示終了操作に応答してカメラモードからスタンバイモードへの遷移処理およびスタンバイモードからカメラモードへの遷移処理をそれぞれ実行する第１制御手段(S7, S9, S13, S15, S17, S19)、記録手段が起動状態にあるときの表示開始操作および表示終了操作に応答して表示手段の起動処理および停止処理をそれぞれ実行する第２制御手段(S23, S25, S35, S37)、および第２制御手段の停止処理によって表示手段が停止状態にあるときの記録終了操作に応答してカメラモードからスタンバイモードへの遷移処理を実行する第３制御手段(S29, S31, S33)を備える。
【０００７】
被写界を表す画像データを繰り返し出力する撮像処理は、動作モードがスタンバイモードからカメラモードに遷移したとき、撮像手段によって実行される。撮像手段から出力された画像データに基づく画像を表示する表示処理は、撮像処理と並列して表示手段によって実行される。撮像手段から出力された画像データを記録媒体に記録する記録処理は、カメラモードにおける記録開始操作から記録終了操作までの期間に記録手段によって実行される。
【０００８】
第１制御手段は、記録手段が停止状態にあるときの表示開始操作および表示終了操作に応答して、カメラモードからスタンバイモードへの遷移処理およびスタンバイモードからカメラモードへの遷移処理をそれぞれ実行する。第２制御手段は、記録手段が起動状態にあるときの表示開始操作および表示終了操作に応答して、表示手段の起動処理および停止処理をそれぞれ実行する。第３制御手段は、第２制御手段の停止処理によって表示手段が停止状態にあるときの記録終了操作に応答して、カメラモードからスタンバイモードへの遷移処理を実行する。
【０００９】
したがって、記録手段が起動状態にあるときに表示終了操作が行われると、記録処理が継続されつつ表示処理が停止される。この状態で記録終了操作が行われると、記録処理が停止され、動作モードがスタンバイモードに遷移する。その後に表示開始操作が行われると、動作モードがカメラモードに遷移し、撮像処理および表示処理が再開される。表示終了操作の後も記録処理を継続的に実行することで、表示処理を省略した状態での記録処理が可能となり、操作性の向上が図られる。
【００１０】
好ましくは、電源制御手段(40)が、電源投入操作および電源遮断操作に応答して電源投入処理および電源遮断処理をそれぞれ実行する。
【００１１】
ある局面では、記録処理は、第３制御手段による遷移処理に先立って停止手段(S27)によって停止される。
【００１２】
好ましくは、表示手段は開閉式のモニタ(28)を含む。このとき、モニタの開操作および閉操作が表示開始操作および表示終了操作にそれぞれ相当する。
【００１３】
この発明に従うモード制御プログラムは、動作モードがスタンバイモードからカメラモードに遷移したとき被写界を表す画像データを繰り返し出力する撮像処理を実行する撮像手段(14, 18)、撮像手段から出力された画像データに基づく画像を表示する表示処理を撮像処理と並列して実行する表示手段(26, 28)、および撮像手段から出力された画像データを記録媒体に記録する記録処理をカメラモードにおける記録開始操作から記録終了操作までの期間に実行する記録手段(32)を備えるビデオカメラ(10)のプロセサ(36)に、記録手段が停止状態にあるときの表示開始操作および表示終了操作に応答してカメラモードからスタンバイモードへの遷移処理およびスタンバイモードからカメラモードへの遷移処理をそれぞれ実行する第１制御ステップ(S7, S9, S13, S15, S17, S19)、記録手段が起動状態にあるときの表示開始操作および表示終了操作に応答して表示手段の起動処理および停止処理をそれぞれ実行する第２制御ステップ(S23, S25, S35, S37)、および第２制御手段の停止処理によって表示手段が停止状態にあるときの記録終了操作に応答してカメラモードからスタンバイモードへの遷移処理を実行する第３制御ステップ(S29, S31, S33)を実行させるための、モード制御プログラムである。
【００１４】
この発明に従うモード制御方法は、動作モードがスタンバイモードからカメラモードに遷移したとき被写界を表す画像データを繰り返し出力する撮像処理を実行する撮像手段(14, 18)、撮像手段から出力された画像データに基づく画像を表示する表示処理を撮像処理と並列して実行する表示手段(26, 28)、および撮像手段から出力された画像データを記録媒体に記録する記録処理をカメラモードにおける記録開始操作から記録終了操作までの期間に実行する記録手段(32)を備えるビデオカメラ(10)のモード制御方法であって、記録手段が停止状態にあるときの表示開始操作および表示終了操作に応答してカメラモードからスタンバイモードへの遷移処理およびスタンバイモードからカメラモードへの遷移処理をそれぞれ実行する第１制御ステップ(S7, S9, S13, S15, S17, S19)、記録手段が起動状態にあるときの表示開始操作および表示終了操作に応答して表示手段の起動処理および停止処理をそれぞれ実行する第２制御ステップ(S23, S25, S35, S37)、および第２制御手段の停止処理によって表示手段が停止状態にあるときの記録終了操作に応答してカメラモードからスタンバイモードへの遷移処理を実行する第３制御ステップ(S29, S31, S33)を備える。
【００１５】
この発明に従うビデオカメラ(10)は、動作モードがスタンバイモードからカメラモードに遷移したとき被写界を表す画像データを繰り返し出力する撮像処理を実行する撮像手段(14, 18)、撮像手段から出力された画像データに基づく画像を開閉式のモニタに表示する表示処理をモニタが開状態にあるときに撮像処理と並列して実行する表示手段(26, 28)、および撮像手段から出力された画像データを記録媒体に記録する記録処理をカメラモードにおける記録開始操作から記録終了操作までの期間に実行する記録手段(32)を備え、記録開始操作はモニタが開状態にあるときに受け付け、記録手段はモニタが開状態から閉状態に移行した後も記録処理を継続し、モニタが閉状態にあるときの記録終了操作に応答して動作モードをスタンバイモードに遷移させるようにした、ビデオカメラである。
【００１６】
被写界を表す画像データを繰り返し出力する撮像処理は、動作モードがスタンバイモードからカメラモードに遷移したとき、撮像手段によって実行される。撮像手段から出力された画像データに基づく画像を開閉式のモニタに表示する表示処理は、モニタが開状態にあるときに撮像処理と並列して表示手段によって実行される。撮像手段から出力された画像データを記録媒体に記録する記録処理は、カメラモードにおける記録開始操作から記録終了操作までの期間に記録手段によって実行される。ここで、記録開始操作は、モニタが開状態にあるときに受け付けられる。また、記録手段は、モニタが開状態から閉状態に移行した後も記録処理を継続する。さらに、動作モードは、モニタが閉状態にあるときの記録終了操作に応答してスタンバイモードに遷移する。
【００１７】
モニタが開状態から閉状態に移行した後も記録処理を継続的に実行することで、表示処理を省略した状態での記録処理が可能となり、操作性の向上が図られる。
【００１８】
好ましくは、モニタが閉状態にあるときの記録開始操作が無効とされる。
【発明の効果】
【００１９】
この発明によれば、記録手段が起動状態にあるときに表示終了操作が行われると、記録処理が継続されつつ表示処理が停止される。この状態で記録終了操作が行われると、記録処理が停止され、動作モードがスタンバイモードに遷移する。その後に表示開始操作が行われると、動作モードがカメラモードに遷移し、撮像処理および表示処理が再開される。表示終了操作の後も記録処理を継続的に実行することで、表示処理を省略した状態での記録処理が可能となり、操作性の向上が図られる。
【００２０】
この発明の上述の目的，その他の目的，特徴および利点は、図面を参照して行う以下の実施例の詳細な説明から一層明らかとなろう。
【発明を実施するための最良の形態】
【００２１】
図１を参照して、この実施例のビデオカメラ１０は、光学レンズ１２を含む。被写界を表す光学像は、光学レンズ１２を経て撮像装置１４の撮像面に照射される。撮像面は、Ｒ(Red)，Ｇ(Green)およびＢ(Blue)の色要素がモザイク状に配列された色フィルタ（図示せず）によって覆われる。撮像面に形成された複数の受光素子の各々で生成される電荷の量は、このような色フィルタを経た光の量を反映する。
【００２２】
電源回路４２は、図示しないバッテリ電源に基づく電力をスイッチ回路４０を介してシステム全体に供給する。スイッチ回路４０は、キー入力装置３８上の電源ボタン３８ｐが操作されたときにオン状態となり、電源ボタン３８ｐが再度操作されたときにオフ状態となる。したがって、電力の供給動作は、電源ボタン３８ｐが操作される毎に実行／中断される。
【００２３】
電力の供給が開始されると、ＣＰＵ３６は、カメラモードの下で撮像処理および表示処理を実行するべく、露光および電荷読み出しの繰り返しをＴＧ１６に命令し、ＬＣＤドライバ２６を起動する。ＴＧ１６は、１／３０秒毎に撮像面を露光し、これによって生成された電荷をラスタ走査態様で撮像面から読み出す。この結果、被写界を表す生画像信号が３０ｆｐｓのフレームレートで撮像装置１４から出力される。
【００２４】
カメラ処理回路１８は、撮像装置１４から出力された各フレームの生画像信号にＣＤＳ，ＡＧＣ，Ａ／Ｄ変換，色分離，白バランス調整，ＹＵＶ変換の一連の処理を施し、ＹＵＶ形式の画像データを作成する。作成された画像データは、メモリ制御回路２２によってＳＤＲＡＭ２４に書き込まれる。ＬＣＤドライバ２６は、ＳＤＲＡＭ２４に格納された画像データをメモリ制御回路２２を通して１／３０秒毎に読み出し、読み出された画像データに基づいてＬＣＤモニタユニット２８を駆動する。この結果、被写界のスルー画像がＬＣＤモニタユニット２８から出力される。
【００２５】
カメラモードが選択された状態でキー入力装置３８上のＲＥＣボタン３８ｒが操作されると、ＣＰＵ３６は、記録処理の開始をＩ／Ｆ回路３２に命令する。Ｉ／Ｆ回路３２は、ＳＤＲＡＭ２４に格納された画像データをメモリ制御回路２２を通して１／３０秒毎に読み出し、読み出された画像データを圧縮ファイル形式で記録媒体３４に記録する。ＲＥＣボタン３８ｒが再度操作されると、ＣＰＵ３６は、記録処理の終了をＩ／Ｆ回路３２に命令する。Ｉ／Ｆ回路３２は、所定の終了処理を実行する。これによって、所望の動画像が収められた圧縮ファイルが記録媒体３４内に得られる。
【００２６】
図２（Ａ）〜図２（Ｄ）を参照して、ビデオカメラ１０は板状のカメラ筐体４４を有する。光学レンズ１２はカメラ筐体４４の前面の上部に設けられ、ＲＥＣボタン３８ｒはカメラ筐体４４の後面の上部に設けられ、そして電源ボタン３８ｐはカメラ筐体４４の一方側面の下部に設けられる。なお、カメラ筐体４４の一方側面および他方側面の各々が主面に相当する。
【００２７】
カメラ筐体４４の一方側面の上方には、２軸式のヒンジ機構４６が設けられる。板状のＬＣＤモニタユニット２８は、このようなヒンジ機構４６によってカメラ筐体４４と連結される。モニタ画面ＳＣは、ＬＣＤモニタユニット２８の裏面に埋め込まれ、図２（Ａ）に示す閉状態においてカメラ筐体４４の一方側面と対向する一方、図２（Ｂ）〜図２（Ｄ）に示す開状態において露出する。なお、電源ボタン３８ｐは、図２（Ａ）に示す閉状態においてＬＣＤモニタユニット２８によって覆われる。
【００２８】
図３を参照して、操作者がＬＣＤモニタユニット２８を開いて電源ボタン３８ｐを操作すると、カメラモードが選択され、撮像処理および表示処理が開始される。この結果、ＬＣＤモニタユニット２８の画面ＳＣに被写界のスルー画像が表示される。この状態でＲＥＣボタン３８ｒが操作されると記録処理が開始され、ＲＥＣボタン３８ｒが再度操作されると記録処理が終了される。また、記録処理が実行されている途中でＬＣＤモニタユニット２８が閉じられると表示処理が終了され、記録処理が実行されている途中でＬＣＤモニタユニット２８が開かれると表示処理が開始される。
【００２９】
撮像処理および表示処理が実行されている途中でＬＣＤモニタユニット２８が閉じられると、動作モードはカメラモードからスタンバイモードに遷移する。スタンバイモードへの遷移は、表示処理が終了されかつ記録処理が実行されている状態でＲＥＣボタンが操作されたときにも発生する。スタンバイモードでは撮像処理，表示処理および記録処理のいずれもが終了され、これによって消費電力の削減が図られる。
【００３０】
なお、ＲＥＣボタンの操作に応答したスタンバイモードへの遷移は一方通行であり、記録処理を再開するには、ＬＣＤモニタユニット２８を開いてＲＥＣボタン３８ｒを操作する必要がある。
【００３１】
ＣＰＵ３６は、図４〜図５に示すモード制御タスクを含む複数のタスクを並列的に実行する。なお、これらのタスクに対応する制御プログラムは、フラッシュメモリ２０に記憶される。
【００３２】
まず、カメラモードを確立するべく、ステップＳ１およびＳ３で撮像処理および表示処理をそれぞれ開始する。この結果、被写界のスルー画像がＬＣＤモニタユニット２８から出力される。ステップＳ５ではＲＥＣボタン３８ｒが操作されたか否かを判別し、ステップＳ７ではＬＣＤモニタユニット２８が開状態から閉状態に遷移したか否かを判別し、そしてステップＳ９ではＬＣＤモニタユニット２８が閉状態から開状態に遷移したか否かを判別する。
【００３３】
ステップＳ７でＹＥＳであれば、スタンバイモードに遷移するべく、ステップＳ１３で撮像処理を終了し、ステップＳ１５で表示処理を終了する。ステップＳ９でＹＥＳであれば、カメラモードに遷移するべく、ステップＳ１７で撮像処理を開始し、ステップＳ１９で表示処理を開始する。ステップＳ１５またはＳ１９の処理が完了すると、ステップＳ５に戻る。ステップＳ５でＹＥＳであればステップＳ１１に進み、記録処理の開始をＩ／Ｆ回路３２に命令する。この結果、ＳＤＲＡＭ２４に格納された画像データを圧縮ファイル形式で記録媒体３４に記録する動作が開始される。
【００３４】
ステップＳ２１ではＲＥＣボタン３８ｒが再度操作されたか否かを判別し、ステップＳ２３ではＬＣＤモニタユニット２８が開状態から閉状態に遷移したか否かを判別し、そしてステップＳ２５ではＬＣＤモニタユニット２８が閉状態から開状態に遷移したか否かを判別する。ステップＳ２３でＹＥＳであればステップＳ３５で表示処理を終了し、ステップＳ２５でＹＥＳであればステップＳ３７で表示処理を開始する。ステップＳ３５またはＳ３７の処理が完了すると、ステップＳ２１に戻る。
【００３５】
ステップＳ２１でＹＥＳであれば、ステップＳ２７で記録処理の終了をＩ／Ｆ回路３２に命令する。これによって、圧縮ファイルが記録媒体３４内に完成する。ステップＳ２９では、ＬＣＤモニタユニット２８が閉状態にあるか否かを判別する。ここでＮＯであればそのままステップＳ５に戻る一方、ＹＥＳであればステップＳ３１およびＳ３３で撮像処理および表示処理を終了してからステップＳ５に戻る。
【００３６】
以上の説明から分かるように、被写界を表す画像データを繰り返し出力する撮像処理は、動作モードがスタンバイモードからカメラモードに復帰したとき、撮像装置１４によって実行される。カメラ処理回路１８から出力された画像データに基づく画像を表示する表示処理は、撮像処理と並列してＬＣＤドライバ２６およびＬＣＤモニタユニット２８によって実行される。カメラ処理回路１８から出力された画像データを記録媒体３４に記録する記録処理は、カメラモードにおけるＲＥＣボタン３８ｒの最初の操作から次の操作までの期間にＩ／Ｆ回路３２によって実行される。
【００３７】
ＣＰＵ３６は、Ｉ／Ｆ回路３２が停止状態にあるとき（記録処理が終了状態にあるとき）のＬＣＤモニタユニット２８の開操作および閉操作に応答して、カメラモードからスタンバイモードへの遷移処理およびスタンバイモードからカメラモードへの遷移処理をそれぞれ実行する(S7, S9, S13, S15, S17, S19)。
【００３８】
ＣＰＵ３６はまた、Ｉ／Ｆ回路３２が起動状態にあるとき（記録処理が実行状態にあるとき）のＬＣＤモニタユニット２８の開操作および閉操作に応答して、ＬＣＤドライバ２６の起動処理および停止処理（表示処理の開始および終了）をそれぞれ実行する(S23, S25, S35, S37)。ＣＰＵ３６はさらに、記録処理が実行状態にありかつ表示処理が終了状態にあるときのＲＥＣボタン３８ｒの操作に応答して、カメラモードからスタンバイモードへの遷移処理を実行する(S29, S31, S33)。
【００３９】
したがって、記録処理が実行状態にあるときにＬＣＤモニタユニット２８の閉操作が行われると、記録処理が継続されつつ表示処理が停止ないし終了される。この状態でＲＥＣボタン３８ｒが操作されると、記録処理が停止され、動作モードがスタンバイモードに遷移する。その後にＬＣＤモニタユニット２８の開操作が行われると、動作モードがカメラモードに遷移し、撮像処理および表示処理が再開される。ＬＣＤモニタユニット２８の閉操作の後も記録処理を継続的に実行することで、表示処理を省略した状態での記録処理が可能となり、操作性の向上が図られる。
【００４０】
なお、ＣＰＵ３６は、図４〜図５に示すモード制御タスクに代えて図６〜図１０に示すフロー図に従う処理を実行してもよい。
【００４１】
電源ボタン３８ｐの操作によって電力供給が開始されると、図６に示すステップＳ４１で現在の動作モードがカメラモードであるか否かを判別する。ＮＯであれば他の処理に進む一方、ＹＥＳであれば図７に示すステップＳ４３に移行する。
【００４２】
ステップＳ４３では撮影処理を開始し、ステップＳ４５では表示処理を開始する。ステップＳ４７ではＲＥＣボタン３８ｒが操作されたか否かを判別し、ステップＳ４９ではＬＣＤモニタユニット２８が閉状態であるか否かを判別し、ステップＳ５１では電源ボタン３８ｒが操作されたか否かを判別する。ステップＳ４７でＹＥＳであればステップＳ５３で記録処理の開始をＩ／Ｆ回路３２に命令し、図８に示すステップＳ５９に移行する。ステップＳ４９でＹＥＳであればステップＳ５５で表示処理を停止し、図９に示すステップＳ７３に進む。ステップＳ５１でＹＥＳであればステップＳ５７で表示処理を停止し、その後に電力供給を停止する。
【００４３】
図８を参照して、ステップＳ５９ではＲＥＣボタン３８ｒが操作されたか否かを判別し、ステップＳ６１ではＬＣＤモニタユニット２８が閉状態であるか否かを判別し、ステップＳ６３では電源ボタン３８ｒが操作されたか否かを判別する。ステップＳ５９でＹＥＳであれば、ステップＳ６５で記録処理の停止をＩ／Ｆ回路３２に命令し、ステップＳ４３に戻る。ステップＳ６１でＹＥＳであれば、図１０に示すステップＳ７５に移行する。ステップＳ６３でＹＥＳであれば、ステップＳ６９で表示処理を停止し、ステップＳ７１で記録処理を停止し、その後に電力供給を停止する。
【００４４】
図９を参照して、ステップＳ７３ではＬＣＤモニタユニット２８が閉状態であるか否かを判別し、ＹＥＳであれば図７に示すステップＳ４３に戻る。
【００４５】
図１０を参照して、ステップＳ７５ではＲＥＣボタン３８ｒが操作されたか否かを判別し、ステップＳ７７ではＬＣＤモニタユニット２８が閉状態であるか否かを判別する。ステップＳ７５でＹＥＳであれば、ステップＳ７９で記録処理の停止をＩ／Ｆ回路３２に命令し、図９に示すステップＳ７３に戻る。ステップＳ７７でＹＥＳであれば、ステップＳ８１で表示処理を開始し、ステップＳ５９に戻る。
【図面の簡単な説明】
【００４６】
【図１】この発明の一実施例の構成を示すブロック図である。
【図２】（Ａ）は或る姿勢を取るビデオカメラの外観を前方斜め上から眺めた状態を示す斜視図であり、（Ｂ）は他の姿勢を取るビデオカメラの外観を前方斜め上から眺めた状態を示す斜視図であり、（Ｃ）はその他の姿勢を取るビデオカメラの外観を前方斜め上から眺めた状態を示す斜視図であり、そして（Ｃ）は（Ｄ）と同じ姿勢を取るビデオカメラの外観を後方斜め上から眺めた状態を示す斜視図である。
【図３】図１実施例の動作の一部を示す図解図である。
【図４】図１実施例に適用されるＣＰＵの動作の一部を示すフロー図である。
【図５】図１実施例に適用されるＣＰＵの動作の他の一部を示すフロー図である。
【図６】図１実施例に適用されるＣＰＵの変形動作の一部を示すフロー図である。
【図７】図１実施例に適用されるＣＰＵの変形動作の他の一部を示すフロー図である。
【図８】図１実施例に適用されるＣＰＵの変形動作のその他の一部を示すフロー図である。
【図９】図１実施例に適用されるＣＰＵの変形動作のさらにその他の一部を示すフロー図である。
【図１０】図１実施例に適用されるＣＰＵの変形動作の他の一部を示すフロー図である。
【符号の説明】
【００４７】
１０  …ビデオカメラ
１４  …撮像装置
１８  …カメラ処理回路
２６  …ＬＣＤドライバ
２８  …ＬＣＤモニタユニット
３０  …開閉センサ
３２  …Ｉ／Ｆ
３４  …記録媒体
３６  …ＣＰＵ
【図１】
2008252469.tif 000003
【図２】
2008252469.tif 000004
【図３】
2008252469.tif 000005
【図４】
2008252469.tif 000006
【図５】
2008252469.tif 000007
【図６】
2008252469.tif 000008
【図７】
2008252469.tif 000009
【図８】
2008252469.tif 000010
【図９】
2008252469.tif 000011
【図１０】
2008252469.tif 000012